(57)【要約】【課題】液晶汚れとポリイミド等の削りかす（端子上異物）の両方を同時に洗浄でき、かつ、液安定性の良好な洗浄剤組成物、及び当該洗浄剤組成物を用いた液晶パネルの洗浄方法の提供。【解決手段】液晶パネルの洗浄に用いる洗浄剤組成物において、有機アルカリ（Ａ）と、炭化水素（Ｂ）と、ポリオキシアルキレンアルキルエーテル及びスルホコハク酸型アニオン界面活性剤からなる群から選ばれる界面活性剤（Ｃ）とを含有し、かつ、ｐＨが８．５以上であることを特徴とする洗浄剤組成物。【選択図】なし【特許請求の範囲】
【請求項１】
液晶パネルの洗浄に用いる洗浄剤組成物において、
有機アルカリ（Ａ）と、
炭化水素（Ｂ）と、
ポリオキシアルキレンアルキルエーテル及びスルホコハク酸型アニオン界面活性剤からなる群から選ばれる界面活性剤（Ｃ）とを含有し、かつ、
ｐＨが８．５以上であることを特徴とする洗浄剤組成物。
【請求項２】
前記有機アルカリ（Ａ）の酸解離指数（ｐＫａ）が７〜１０である請求項１記載の洗浄剤組成物。
【請求項３】
前記有機アルカリ（Ａ）を２種以上併用する請求項２記載の洗浄剤組成物。
【請求項４】
ｐＨが９以上である請求項１〜３のいずれかに記載の洗浄剤組成物。
【請求項５】
酸解離指数（ｐＫａ）が４〜７の酸（Ｄ）をさらに含有する請求項１〜４のいずれかに記載の洗浄剤組成物。
【請求項６】
請求項１〜５のいずれかに記載の洗浄剤組成物を用いることを特徴とする液晶パネルの洗浄方法。
【発明の詳細な説明】
【技術分野】
【０００１】
本発明は、液晶パネルの洗浄用として好適な洗浄剤組成物、および液晶パネルの洗浄方法に関する。
【背景技術】
【０００２】
液晶パネルは、通常、酸化インジウムすず（ＩＴＯ）等を用いたフィルム状の電極とポリイミド（ＰＩ）等を用いた配向膜とが形成された一対のガラス基板が対向するように、一部開口を残して、配向膜同士を接着剤により貼り合わせて液晶室を作り、当該液晶室に液晶を注入し、前記開口部を封止剤により封止した後、洗浄を行い、各ガラス基板表面に偏向板をそれぞれ貼着して製造される。
また、液晶パネルにおいては、ガラス基板の外周端面に、電極間に電圧を印加するための電極端子が多数配置される。
【０００３】
液晶パネルの製造においては、一対のガラス基板同士の接着部の外側（液晶室側とは反対側）に、対向するガラス基板の狭いギャップによって空隙部（狭部）を生じることが避けられない。そして、液晶室に液晶を注入する際、その液晶が、毛細管現象により前記狭部に入り込んで付着してしまう。
前記狭部に付着した液晶（以下「液晶汚れ」という。）をそのまま放置しておくと、当該液晶汚れの残渣が離型剤として作用することにより、その後の製造工程において、偏向板の剥がれ、ドライバー端子の接続不備、ドライバーアンダーフィル界面の不具合、基板の薄型化工法に用いる可剥離性塗膜の剥がれ等の種々のトラブル発生に繋がるおそれがある。
【０００４】
この液晶汚れの洗浄に対しては、有機溶剤である炭化水素が優れており、従来、炭化水素等の有機溶剤、又は炭化水素等の有機溶剤と界面活性剤若しくはグリコールエーテルとを組み合わせた準水系若しくは水系の洗浄剤を用いる方法が、液晶汚れに対する洗浄方法として一般的に用いられている。
たとえば、炭素数８〜２０の炭化水素化合物と、アニオン界面活性剤と、特定の中鎖分岐第１級アルコールのアルキレンオキシド付加体と、所定量の水とを含む液晶パネル用水系液体洗浄剤組成物が提案されている（特許文献１参照）。かかる洗浄剤組成物によれば、液晶汚れに加えて、液晶汚れをバインダーとして電極端子上に付着した、マザーガラスからガラス基板を切り出す際に生じるガラスの切粉（カレット）も除去できる、とされている。
【特許文献１】特開２００４−００２６９１号公報
【発明の開示】
【発明が解決しようとする課題】
【０００５】
ところで、液晶パネルにおいて、ポリイミド等を用いた配向膜には、液晶分子を電極面に対して一定方向に配列させるため、その表面にラビング（こすり）処理が施されている。
このラビング処理の際、ポリイミド等の削りかすが生じる。そして、このポリイミド等の削りかすが電極端子上に付着すると、上述した液晶汚れと同様、その後の製造工程において種々のトラブル発生に繋がるおそれがある。
【０００６】
そのため、液晶パネルの製造における洗浄では、液晶汚れに加えて、ポリイミド等の削りかすも洗浄し、除去する必要がある。
【０００７】
ポリイミドの溶解には、アルカリが一般的に用いられている。しかしながら、特許文献１に記載された発明において、アルカリは用いられておらず、特許文献１に記載の技術では、液晶汚れをバインダーとして電極端子上に付着したカレットは除去できても、ポリイミド等の削りかすを高い清浄度で除去するのは困難であった。
また、特許文献１における洗浄剤組成物に、アルカリを単に配合しても、アルカリと炭化水素化合物とは容易に相溶せずに白濁するため、均一で透明な外観を呈する液安定性の良好な組成物を調製することが難しい。この白濁した洗浄剤組成物を用いて液晶パネルを洗浄すると、組成物中の分散物が液晶パネルに残留し、洗浄不良となるおそれがある。
【０００８】
そのため、液晶パネルに付着した液晶汚れとポリイミド等の削りかすの両方を洗浄しようとした場合、液晶汚れの除去を目的とした洗浄処理と、ポリイミド等の削りかすの除去を目的とした洗浄処理とを、それぞれ別個に行う必要がある。
これに対して、一回の洗浄処理により、両方の汚れを同時に洗浄できることが望まれる。
【０００９】
本発明は、上記事情に鑑みてなされたものであり、液晶汚れとポリイミド等の削りかす（以下「端子上異物」という。）の両方を同時に洗浄でき、かつ、液安定性の良好な洗浄剤組成物、及び当該洗浄剤組成物を用いた液晶パネルの洗浄方法を提供することを課題とする。
【課題を解決するための手段】
【００１０】
本発明者らは鋭意検討した結果、上記課題を解決するために、以下の手段を提供する。
すなわち、本発明は、液晶パネルの洗浄に用いる洗浄剤組成物において、有機アルカリ（Ａ）と、炭化水素（Ｂ）と、ポリオキシアルキレンアルキルエーテル及びスルホコハク酸型アニオン界面活性剤からなる群から選ばれる界面活性剤（Ｃ）とを含有し、かつ、ｐＨが８．５以上であることを特徴とする洗浄剤組成物である。
【００１１】
本発明の洗浄剤組成物においては、前記有機アルカリ（Ａ）の酸解離指数（ｐＫａ）が７〜１０であることが好ましい。また、前記有機アルカリ（Ａ）を２種以上併用することが好ましい。
また、本発明の洗浄剤組成物においては、ｐＨが９以上であることが好ましい。
また、本発明の洗浄剤組成物においては、酸解離指数（ｐＫａ）が４〜７の酸（Ｄ）をさらに含有することが好ましい。
【００１２】
また、本発明の液晶パネルの洗浄方法は、前記本発明の洗浄剤組成物を用いることを特徴とする。
【発明の効果】
【００１３】
本発明の洗浄剤組成物によれば、液晶汚れと端子上異物の両方を同時に洗浄でき、かつ、液安定性が良好である。
また、本発明の液晶パネルの洗浄方法によれば、液晶パネルのギャップ（狭部）に付着した液晶汚れと、電極端子上に付着したポリイミド等の削りかす（端子上異物）の両方を、一回の洗浄処理により、充分に洗浄・除去できる。
【発明を実施するための最良の形態】
【００１４】
＜洗浄剤組成物＞
本発明の洗浄剤組成物は、液晶パネルの洗浄に用いるものであり、有機アルカリ（Ａ）と、炭化水素（Ｂ）と、ポリオキシアルキレンアルキルエーテル及びスルホコハク酸型アニオン界面活性剤からなる群から選ばれる界面活性剤（Ｃ）とを含有し、かつ、ｐＨが８．５以上である。
【００１５】
［有機アルカリ（Ａ）］
本明細書および本特許請求の範囲において、「有機アルカリ」は、有機化合物で塩基性の性質をもつものを包含する。
本発明においては、有機アルカリ（Ａ）（以下「（Ａ）成分」という。）を含有することにより、主として、端子上異物に対して良好な洗浄力が得られる。また、均一で透明な外観を呈する液安定性の良好な洗浄剤組成物を調製できる。
【００１６】
（Ａ）成分は、特に限定されず、なかでも酸解離指数（ｐＫａ）が７〜１０であるものが好ましく、ｐＫａが７．５〜９．５であるものがより好ましい。ｐＫａが７〜１０であると、洗浄剤組成物を調製した後、液安定性がより良好であり、ｐＨ変動が少ない。そして、同じ洗浄液で複数回の洗浄処理が可能であり、同じ洗浄液を繰り返し使い続けることができる。この同じ洗浄液を繰り返し使い続ける特性を、本明細書において、以下「洗浄力スタミナ性」という。
また、ｐＫａが７〜１０の範囲であると、洗浄剤組成物のｐＨを、所望のｐＨに、より維持しやすくなる。
【００１７】
本明細書および本特許請求の範囲において、「酸解離指数（ｐＫａ）」とは、酸から水素イオンが放出される解離反応の平衡定数（酸解離定数，Ｋａ）の負の常用対数（−ｌｏｇＫａ）を表す。ｐＫａが大きいアルカリほど塩基性が強い。
酸解離指数（ｐＫａ）の値は、社団法人日本化学会編集の化学便覧基礎編  改訂３版（丸善株式会社出版）に収載されているものである。
【００１８】
（Ａ）成分としては、たとえばモノエタノールアミン（ｐＫａ９．５）、ジエタノールアミン（ｐＫａ８．８７）、トリエタノールアミン（ｐＫａ７．７６）、エチレンジアミン（ｐＫａ９．９２および７．１２）、ジアミノプロパン（ｐＫａ１０．５３および８．８４）、トリアミノプロパン（ｐＫａ９．８６、８．０７および３．７２）、ジメチルアミン（ｐＫａ１１．０２）、トリエチルアミン（ｐＫａ１０．６８）、水酸化テトラメチルアンモニウム、水酸化テトラエチルアンモニウム、水酸化テトラ−ｎ−ブチルアンモニウムが挙げられる。
なかでも、端子上異物に対する洗浄力に加えて、洗浄力スタミナ性にも優れていることから、モノエタノールアミン、ジエタノールアミン、トリエタノールアミンが好ましい。
【００１９】
（Ａ）成分は、１種単独で、又は２種以上を適宜組み合わせて用いることができる。
上記のなかでも、（Ａ）成分は、ｐＫａが７〜１０であるものが好ましく、ｐＫａが７〜１０であるものを２種以上併用することが特に好ましい。かかる（Ａ）成分を２種以上併用することにより、洗浄力スタミナ性がさらに向上する。
本発明の洗浄剤組成物における（Ａ）成分の割合は、０．０１〜２０質量％であることが好ましく、０．１〜１５質量％であることがより好ましく、１〜１２質量％であることがさらに好ましい。
（Ａ）成分の割合が下限値以上であると、特に端子上異物に対する洗浄力がより向上する。また、洗浄剤組成物の液安定性がより向上する。また、経時に伴うｐＨ低下を抑制でき、洗浄力スタミナ性が向上する。
（Ａ）成分の割合が上限値以下であれば、洗浄剤組成物の粘度の増加が抑制され、ハンドリング性と、洗浄後のリンス性が向上する。特に超音波洗浄機を用いた洗浄処理の場合、洗浄剤組成物の粘度の増加が抑制されて洗浄力がより向上する。
【００２０】
［炭化水素（Ｂ）］
本発明においては、炭化水素（Ｂ）（以下「（Ｂ）成分」という。）を含有することにより、主として、液晶汚れに対して良好な洗浄力が得られる。
（Ｂ）成分の炭素数は８〜１６であることが好ましく、１０〜１４であることがより好ましく、１２〜１４であることがさらに好ましい。
炭素数が８〜１６、特に１０〜１４であると、液晶汚れに対する洗浄力がより向上する。また、炭素数が下限値以上であると引火性が低く、炭素数が上限値以下であると、（Ｂ）成分自体の溶解性が良好であり、均一で透明な外観の洗浄剤組成物が得られやすくなる。
【００２１】
（Ｂ）成分は、炭化水素化合物であれば特に限定されず、たとえばパラフィン、パラフィン炭化水素、オレフィン炭化水素が挙げられる。
（Ｂ）成分として具体的には、ｎ−デカン、ｎ−ドデカン、ｎ−テトラデカン、イソデカン、イソドデカン、又はこれらのパラフィン類に対応するオレフィン類が好適なものとして挙げられる。
なかでも、比較的沸点が高いため、引火しにくく、液晶の溶解力に優れることから、炭素数１２〜１４のパラフィン類、炭素数１２〜１４のオレフィン類がより好ましい。
【００２２】
本発明において、（Ｂ）成分は、たとえば、ジャパンエナジー製のノルマルパラフィンＮ１２Ｄ（商品名）、三菱化学製のダイアレン１２（商品名）等の市販品を用いることができる。
【００２３】
（Ｂ）成分は、１種単独で、又は２種以上を適宜組み合わせて用いることができる。
本発明の洗浄剤組成物における（Ｂ）成分の割合は、１〜８０質量％であることが好ましく、１〜７０質量％であることがより好ましい。
（Ｂ）成分の割合が下限値以上であると、特に液晶汚れに対する洗浄力がより向上する。（Ｂ）成分の割合が上限値以下であれば、洗浄後のすすぎ（リンス）性が向上する。また、引火性もより低くなる。
【００２４】
［界面活性剤（Ｃ）］
本発明においては、ポリオキシアルキレンアルキルエーテル（以下（Ｃ１）成分という。）及びスルホコハク酸型アニオン界面活性剤（以下（Ｃ２）成分という。）からなる群から選ばれる界面活性剤（Ｃ）（以下（Ｃ）成分という。）を含有することにより、主として、液晶汚れ及び端子上異物に対する洗浄力向上の効果が得られる。また、均一で透明な外観を呈する液安定性向上の効果が得られる。
【００２５】
・ポリオキシアルキレンアルキルエーテル（Ｃ１）について
本明細書および本特許請求の範囲において、（Ｃ１）成分は、炭素数８以上の炭素鎖を有するものを包含する（当該炭素鎖は、たとえば下記一般式（ｃ１−１）で表される化合物においてはＲ１が該当する）。
（Ｃ１）成分は、たとえば、高級アルコール（好ましくは炭素数８〜１８のアルコール）に、アルキレンオキシドを付加したものが挙げられる。なかでも、特に液安定性及び洗浄後のすすぎ（リンス）性がより良好であることから、下記一般式（ｃ１−１）で表される化合物が好適なものとして挙げられる。
【００２６】
【化１】
2010143971.tif 000002
［式中、Ｒ１は炭素数８〜１８のアルキル基又はアルケニル基であり、ＡＯはオキシアルキレン基であり、ｎはアルキレンオキシド単位の平均付加モル数で２〜３０の数である。］
【００２７】
前記式（ｃ１−１）中、Ｒ１は、炭素数８〜１８のアルキル基、又は炭素数８〜１８のアルケニル基であり、当該アルキル基又はアルケニル基は、直鎖状であってもよく、分岐鎖状であってもよい。
Ｒ１の炭素数は８〜１８であり、液安定性及び洗浄後のすすぎ（リンス）性が良好であることから、８〜１５であることが好ましく、８〜１０であることがより好ましい。
【００２８】
前記式（ｃ１−１）中、ＡＯはオキシアルキレン基であり、具体的にはオキシエチレン基、オキシプロピレン基、オキシブチレン基が好ましく挙げられ、洗浄力若しくは液安定性又は洗浄後のすすぎ（リンス）性が良好であることから、オキシエチレン基、オキシプロピレン基がより好ましい。
前記式（ｃ１−１）中、ｎは２〜３０の数であり、洗浄力又は液安定性が良好であることから、４〜２０の数であることがより好ましい。
【００２９】
本発明において、（Ｃ１）成分は、たとえば、第一工業製薬製のノイゲンＸＬシリーズ（商品名；Ｒ１の炭素数１０、ＡＯがオキシエチレン基のタイプ）、日本乳化剤製のニューコールシリーズ（商品名；Ｒ１の炭素数８、ＡＯがオキシエチレン基のタイプ）等の市販品を用いることができる。
【００３０】
・スルホコハク酸型アニオン界面活性剤（Ｃ２）について
（Ｃ２）成分は、たとえばスルホコハク酸塩が挙げられ、なかでも、特に液安定性及び洗浄後のすすぎ（リンス）性がより良好であることから、下記一般式（ｃ２−１）で表される化合物が好適なものとして挙げられる。
【００３１】
【化２】
2010143971.tif 000003
［式中、Ｒ２は炭素数３〜２２のアルキル基若しくはアルケニル基であり；Ｒ３は炭素数３〜２２のアルキル基若しくはアルケニル基、アルカリ金属原子、アルカリ土類金属原子、アンモニウム又はアルカノールアミンであり；Ｑ１は−Ｏ−又は−ＮＨ−であり、Ｍはアルカリ金属原子、アルカリ土類金属原子、アンモニウム又はアルカノールアミンである。］
【００３２】
前記式（ｃ２−１）中、Ｒ２は、炭素数３〜２２のアルキル基、又は炭素数３〜２２のアルケニル基であり、当該アルキル基又はアルケニル基は、直鎖状であってもよく、分岐鎖状であってもよい。
Ｒ２の炭素数は３〜２２であり、液安定性及び洗浄後のすすぎ（リンス）性が良好であることから、６〜１６であることが好ましく、８〜１２であることがより好ましい。
【００３３】
前記式（ｃ２−１）中、Ｒ３は、炭素数３〜２２のアルキル基、炭素数３〜２２のアルケニル基、アルカリ金属原子、アルカリ土類金属原子、アンモニウム（ＮＨ４）又はアルカノールアミンである。
Ｒ３におけるアルキル基、アルケニル基は、直鎖状であってもよく、分岐鎖状であってもよい。
当該アルキル基又はアルケニル基の炭素数は３〜２２であり、液安定性及び洗浄後のすすぎ（リンス）性が良好であることから、６〜１６であることが好ましく、８〜１２であることがより好ましい。
Ｒ３におけるアルカリ金属原子は、ナトリウム、カリウム等が挙げられる。
Ｒ３におけるアルカリ土類金属原子は、カルシウム、マグネシウム等が挙げられる。
Ｒ３におけるアルカノールアミンは、モノエタノールアミン、ジエタノールアミン、トリエタノールアミン等が挙げられる。
【００３４】
前記式（ｃ２−１）中、Ｑ１は、−Ｏ−又は−ＮＨ−であり、−Ｏ−が好ましい。
前記式（ｃ２−１）中、Ｍは、アルカリ金属原子、アルカリ土類金属原子、アンモニウム又はアルカノールアミンであり、上記Ｒ３で例示したものとそれぞれ同様のものが挙げられる。そのなかでも、アルカリ金属原子が好ましい。
【００３５】
（Ｃ２）成分としては、上記のなかでもジオクチル系スルホコハク酸塩が好ましい。
本発明において、（Ｃ２）成分は、たとえば、ライオン製のリパール８７０Ｐ（商品名）等の市販品を用いることができる。
【００３６】
（Ｃ）成分は、１種単独で、又は２種以上を適宜組み合わせて用いることができる。
本発明の洗浄剤組成物における（Ｃ）成分の割合は、１〜３０質量％であることが好ましく、１０〜２５質量％であることがより好ましい。
（Ｃ）成分の割合が下限値以上であると、特に液安定性がより向上する。また、液晶汚れ及び端子上異物に対する洗浄力がより向上する。（Ｃ）成分の割合が上限値以下であれば、液安定性及び洗浄力の向上の効果が充分に得られる。また、洗浄後のすすぎ（リンス）性が向上する。
【００３７】
［酸（Ｄ）］
本発明の洗浄剤組成物においては、酸解離指数（ｐＫａ）が４〜７の酸（Ｄ）（以下「（Ｄ）成分」という。）をさらに含有することが好ましい。（Ｄ）成分を含有することにより、主として、洗浄剤組成物を調製した後のｐＨ安定化を図ることができ、洗浄力スタミナ性が向上する。
（Ｄ）成分のｐＫａは４〜７であり、５〜７であることが好ましい。ｐＫａが７以下であると、洗浄力スタミナ性が向上する。ｐＫａが４以上であれば、経時に伴うｐＨ低下を抑制でき、洗浄力スタミナ性向上の効果が充分に得られる。
【００３８】
（Ｄ）成分としては、たとえばクエン酸（ｐＫａ５．６９、４．３５および２．９０）、安息香酸（ｐＫａ４．００）、酢酸（ｐＫａ４．７６）、コハク酸（ｐＫａ５．２０および３．９９）が挙げられる。
なかでも、洗浄剤組成物を調製した後のｐＨ安定化の効果が良好であることから、クエン酸、安息香酸が好ましい。
【００３９】
本発明において、（Ｄ）成分は、たとえば、小松屋化学製のクエン酸（結晶）（商品名；クエン酸１水和物）、ＤＳＭ社製のＰｕｒｏｘＢ（商品名）等の市販品を用いることができる。
【００４０】
（Ｄ）成分は、１種単独で、又は２種以上を適宜組み合わせて用いることができる。
本発明の洗浄剤組成物における（Ｄ）成分の割合は、０．０１〜３質量％であることが好ましく、０．１〜１．５質量％であることがより好ましい。
（Ｄ）成分の割合が下限値以上であると、洗浄剤組成物を調製した後のｐＨ安定化の効果がより向上する。（Ｄ）成分の割合が上限値以下であると、液安定性向上の効果がより向上する。
【００４１】
［その他成分］
本発明の洗浄剤組成物においては、必要に応じて、上記の（Ａ）〜（Ｄ）成分以外のその他成分を併用してもよい。
その他成分としては、たとえば水、液晶溶解補助剤、液安定化剤などが挙げられる。
【００４２】
液晶溶解補助剤は、（Ｂ）成分以外の有機溶剤が挙げられ、たとえば、フェニルグリコール、ジメチルスルホキシド（ＤＭＳＯ）等を用いることができる。
【００４３】
液安定化剤は、たとえば、Ｒ４Ｏ−（Ａ’Ｏ）ｍ−Ｒ５［式中、Ｒ４は炭素数１〜６のアルキル基又はアルケニル基であり；Ｒ５は水素原子又はメチル基であり、Ａ’Ｏはオキシアルキレン基であり、ｍは１〜５の数である。］で表される化合物が挙げられる。
前記式中、Ｒ４は、炭素数１〜６のアルキル基、又は炭素数１〜６のアルケニル基であり、当該アルキル基、アルケニル基は、直鎖状であってもよく、分岐鎖状であってもよい。
Ａ’Ｏはオキシアルキレン基であり、オキシエチレン基が好ましい。
【００４４】
本発明の洗浄剤組成物は、ｐＨが８．５以上であり、ｐＨが９以上であることが好ましい。当該ｐＨの上限値はｐＨ１０．５以下であることが好ましく、ｐＨ１０以下であることがより好ましい。
洗浄剤組成物のｐＨが８．５以上、好ましくは９以上であると、特に端子上異物に対して良好な洗浄力が得られる。また、洗浄力スタミナ性が向上する。当該ｐＨが、好ましくは１０．５以下、より好ましくは１０以下であると、液晶パネルの金属部材の腐食が抑制される。
本発明において、ｐＨの測定は、ｐＨメーター（製品名：Ｄ−５１、株式会社堀場製作所製）とｐＨ電極（製品名：９６１１−１０Ｄ、株式会社堀場製作所製）を用いて、２５℃の洗浄剤組成物に対してｐＨ電極を浸漬し、１５秒経過後の指示値を読み取ることにより行う。
【００４５】
本発明の洗浄剤組成物の調製方法は、特に限定されず、常法に準じて各成分を順次、混合することにより調製できる。各成分の配合順序は任意でよく、各成分を少量ずつ加えていき、撹拌を行いながら調製することが好ましい。
【００４６】
以上説明したように、本発明の洗浄剤組成物によれば、液晶パネルに付着した液晶汚れと端子上異物の両方を、一回の洗浄処理により、同時に洗浄できる。また、本発明の洗浄剤組成物は、均一で透明な外観を呈し、液安定性が良好である。
また、本発明の洗浄剤組成物によれば、同じ洗浄液で複数回の洗浄処理が可能であり、同じ洗浄液を繰り返し使い続けることができる（洗浄力スタミナ性に優れる）。
また、本発明の洗浄剤組成物によれば、液晶パネルの金属部材の腐食を抑制できる。
本発明の洗浄剤組成物は、液晶パネルの洗浄用として好適なものである。
【００４７】
＜液晶パネルの洗浄方法＞
本発明の液晶パネルの洗浄方法は、上記本発明の洗浄剤組成物を用いる方法である。
当該洗浄方法としては、特に限定されず、たとえば、被洗浄体である液晶パネルに、洗浄剤組成物をノズル等から直接吹き付けて塗布して拭き取る方法；液晶パネルを洗浄剤組成物に浸漬する方法、洗浄時に超音波処理を行う方法などが挙げられる。
本発明の液晶パネルの洗浄方法においては、洗浄時に超音波処理を行う方法が好ましい。上記本発明の洗浄剤組成物を用いて、液晶パネルに対して超音波洗浄処理を行うことにより、液晶パネルに付着した液晶汚れと端子上異物の両方を、短時間で効果的に洗浄することができる。
本発明の液晶パネルの洗浄方法によれば、液晶パネルに付着した液晶汚れと端子上異物の両方を、一回の洗浄処理により、充分に洗浄・除去できる。
かかる洗浄方法は、液晶パネルの洗浄用として好適である。
【実施例】
【００４８】
以下に実施例を用いて本発明をさらに詳しく説明するが、本発明はこれら実施例に限定されるものではない。なお、「％」は特に断りがない限り「質量％」を示す。
【００４９】
＜洗浄剤組成物の調製＞
（実施例１〜１１、比較例１〜５）
表１、２に示す組成に従い、常法に準じて、総量が１００質量％になるように、各成分を少量ずつ添加しながら撹拌することにより各例の洗浄剤組成物を調製した。
なお、表中の配合量の単位は質量％であり、各成分の配合量はいずれも純分換算量を示す。
以下に、表中に示した成分について説明する。
【００５０】
［表中に示した成分の説明］。
・有機アルカリ（Ａ）
ＭＥＡ：モノエタノールアミン、試薬特級、関東化学製；ｐＫａ９．５。
ＤＥＡ：ジエタノールアミン、試薬特級、関東化学製；ｐＫａ９．１２。
ＴＥＡ：トリエタノールアミン、試薬特級、関東化学製；ｐＫａ７．７６。
【００５１】
・（Ａ）成分の比較成分［以下「（Ａ’）成分」と表す。］
ＮａＯＨ：水酸化ナトリウム、試薬、純正化学製；ｐＫａ１３以上。
【００５２】
・炭化水素（Ｂ）
ドデカン：カクタスノルマルパラフィンＮ１２Ｄ（商品名）、ジャパンエナジー製。
ドデセン：ダイアレン１２（商品名）、三菱化学製。
【００５３】
・界面活性剤（Ｃ）
Ｃ８Ｅ４：ポリオキシエチレンオクチルエーテル、エチレンオキシド（ＥＯ）４モル付加体；ニューコール１００４（商品名）、日本乳化剤製。
Ｃ８Ｅ２０：ポリオキシエチレンオクチルエーテル、ＥＯ２０モル付加体；ニューコール１０２０（商品名）、日本乳化剤製。
Ｃ１０Ｅ４：ポリオキシエチレンデシルエーテル、ＥＯ４モル付加体；ノイゲンＸＬ−４０（商品名）、第一工業製薬製。
Ｃ１０Ｅ１４：ポリオキシエチレンデシルエーテル、ＥＯ１４モル付加体；ノイゲンＸＬ−１４０（商品名）、第一工業製薬製。
ＡＯＴ：ジ−２−エチルヘキシルスルホサクシネートナトリウム、リパール８７０Ｐ（商品名）、ライオン製。
【００５４】
・酸（Ｄ）
クエン酸：クエン酸１水和物、クエン酸（結晶）（商品名）、小松屋化学製；ｐＫａ５．６９、４．３５および２．９０。
安息香酸：ＰｕｒｏｘＢ（商品名）、ＤＳＭ社製、オランダから輸入；ｐＫａ４．００。
【００５５】
・その他成分
フェニルグリコール：ＰｈＧ（商品名）、日本乳化剤製。
Ｃ６Ｅ２：ヘキシルジグリコール（商品名）、日本乳化剤製。
水
【００５６】
＜洗浄剤組成物のｐＨの測定＞
上記＜洗浄剤組成物の調製＞により得られた洗浄剤組成物の原液のｐＨを測定した。
ｐＨの測定は、ｐＨメーター（製品名：Ｄ−５１、株式会社堀場製作所製）とｐＨ電極（製品名：９６１１−１０Ｄ、株式会社堀場製作所製）を用いて、２５℃の洗浄剤組成物に対してｐＨ電極を浸漬し、１５秒経過後の指示値を読み取ることにより行った。
【００５７】
＜液晶汚れ及び端子上異物に対する洗浄力の評価＞
［被洗浄サンプルの作製］
液晶パネルのギャップ（狭部）に、ＴＦＴ液晶パネル用の液晶材料を、シリンジを用いて注入して被洗浄サンプルを作製した。
なお、液晶パネルとしては、酸化インジウムすず（ＩＴＯ）電極とポリイミド配向膜とがこの順に積層した一対のガラス基板が対向するように、ポリイミド配向膜同士を、接着剤により貼り合わせたものを用いた。当該液晶パネルの電極端子上には、ポリイミドの削りかす（端子上異物）が光学顕微鏡にて確認できる程度に付着しているものを用いた。
【００５８】
［洗浄試験］
超音波洗浄機として、サン電子工業（株）製のＳＣ−２０型（品番；５０ｋＨｚ，２００Ｗ）を用いた。
前記超音波洗浄機に、各例の洗浄剤組成物の原液をそれぞれ入れ、当該原液中に被洗浄サンプルを浸漬し、４０℃で１６分間の超音波洗浄を行った。
続いて、被洗浄サンプルを取り出し、別に用意した前記超音波洗浄機に、室温のイオン交換水を入れ、当該イオン交換水中に、取り出した被洗浄サンプルを浸漬し、洗浄時間を１０分間とした以外は、洗浄剤組成物の原液による超音波洗浄処理と同じ条件で、超音波すすぎ処理を行った。
その後、被洗浄サンプルを取り出し、恒温乾燥機内に入れて、８０℃で２０分間の乾燥を行った。
乾燥終了後、偏光顕微鏡（品番：ＢＸ−６０、オリンパス工業（株）製）を用いて、被洗浄サンプルの狭部における液晶材料の残留状態と、電極端子上のポリイミドの残留状態について、以下の評価基準に基づいて評価した。その結果を表１、２に示す。
（洗浄力の評価基準）  ◎〜○が合格範囲
◎：完全に除去されていた。
○：ほとんど除去されていた。
△：少し除去されていた。
×：全く除去されていなかった。
なお、表中、「−」は、洗浄剤組成物を調製した直後から白濁していたため、評価を実施していない、ことを示す。
【００５９】
＜液安定性の評価＞
各例の洗浄剤組成物を調製した後、室温（２５℃）と高温（５０℃）の条件下でそれぞれ別個に保管し、１日間経過後の洗浄剤組成物の外観について、以下の評価基準に基づいて評価した。その結果を表１、２に示す。
（液安定性の評価基準）  ◎〜○が合格範囲
◎：室温と高温のいずれも、均一で透明な外観を呈していた。
○：室温では均一で透明な外観を呈し、高温では白濁していた。
△：室温と高温のいずれも、白濁していた。
×：洗浄剤組成物の調製直後（室温）から白濁していた。
【００６０】
＜洗浄力スタミナ性の評価＞
各例の洗浄剤組成物の原液１０００ｍＬを、１０００ｍＬビーカーに入れ、これをウォーターバス内に設置し、一週間および一ヶ月間保存した。
保存中は当該ビーカーに蓋をせず、また、一日のうち８時間は５０℃まで昇温して撹拌を行い、残りの１６時間は室温で撹拌を行わずに放置した。洗浄剤組成物は、保存期間中、入れかえることなく、同じものを使い続けた。
一週間経過後と、一ヶ月間経過後の洗浄剤組成物をそれぞれ用いて、上述した＜液晶汚れ及び端子上異物に対する洗浄力の評価＞と同じ方法により端子上異物に対する洗浄力の評価を行い、以下の評価基準に基づいて、洗浄力スタミナ性の評価を行った。その結果を表１、２に示す。
（洗浄力スタミナ性の評価基準）  ◎◎〜○が合格範囲。
◎◎：一週間経過後と、一ヶ月間経過後のいずれも、完全に除去されていた。
◎：一週間経過後は完全に除去され、一ヶ月間経過後もほとんど除去されていた。
○：一週間経過後はほとんど除去され、一ヶ月間経過後は少し除去されていた。
△：一週間経過後は少し除去されていたが、一ヶ月間経過後は除去されていなかった。
×：一週間経過後と、一ヶ月間経過後のいずれも、全く除去されていなかった。
【００６１】
【表１】
2010143971.tif 000004
【００６２】
【表２】
2010143971.tif 000005
【００６３】
以上の結果から、本発明に係る実施例の１〜１１の洗浄剤組成物は、液晶パネルのギャップ（狭部）に付着した液晶汚れと、電極端子上に付着したポリイミド等の削りかす（端子上異物）の両方を同時に洗浄でき、かつ、液安定性が良好であることが確認できた。
また、本発明に係る実施例の１〜１１の洗浄剤組成物は、洗浄力スタミナ性に優れていることも確認できた。